(57)【要約】      （修正有）【課題】顔の全体を防護することができるとともに、折り畳んで保管することが可能で、持ち運びに便利な折り畳み式フェースマスクを提供する。【解決手段】折り畳み式フェースマスク１００は、フェースマスク本体を備え、フェースマスク本体は、透視領域１２と、ろ過領域１１とを含み、ろ過領域は、少なくとも２つの平面領域を含み、隣接する平面領域同士が互いに接続され、その接続箇所に接続線が形成され、ろ過領域は接続線に沿って折り畳まれたり、広げられたりでき、透視領域はろ過領域に嵌設され、フェースマスクが掛けられた場合に、透視領域は、視線が透過されるようにユーザの目に対応する。フェースマスクは接続線に沿って広げられると、３次元構造になり、顔の全体を被覆し、防護することができ、透視領域により、視線に影響を与えずに、目を効果的に防護する。接続線に沿って折り畳まれると、小さい平面に折り畳まれる。【選択図】図２
0003232483.tif 000002
【実用新案登録請求の範囲】
【請求項１】
折り畳み式フェースマスク（１００）であって、フェースマスク本体（１０）を備え、
前記フェースマスク本体（１０）は、ろ過領域（１１）と、透視領域（１２）とを含み、前記ろ過領域（１１）は、少なくとも２つの平面領域を含み、隣接する前記平面領域同士が互いに接続されているとともに、接続箇所に接続線が形成され、前記ろ過領域（１１）は、前記接続線に沿って折り畳まれたり、広げられたりすることができ、
前記透視領域（１２）は、前記ろ過領域（１１）に嵌設されており、前記フェースマスク（１００）が掛けられた場合に、前記透視領域（１２）は、視線が透過されるようにユーザの目のところに対応する
ことを特徴とする折り畳み式フェースマスク（１００）。
【請求項２】
前記ろ過領域（１１）は、第１の平面領域（１１１）と第２の平面領域（１１２）とを含み、前記透視領域（１２）は、前記第１の平面領域（１１１）に嵌設され、前記第１の平面領域（１１１）の下縁と前記第２の平面領域（１１２）の上縁が接続されているとともに、その接続箇所に第１の接続線（３１）が形成され、前記第１の接続線（３１）は、前記フェースマスク本体（１０）に対して横方向に設けられていることを特徴とする請求項１に記載の折り畳み式フェースマスク（１００）。
【請求項３】
前記第１の接続線（３１）は、開口した多角形状をしていることを特徴とする請求項２に記載の折り畳み式フェースマスク（１００）。
【請求項４】
前記第１の平面領域（１１１）の上縁は弧状で、前記第２の平面領域（１１２）の下縁は唇の形状をしていることを特徴とする請求項３に記載の折り畳み式フェースマスク（１００）。
【請求項５】
前記第２の平面領域（１１２）に八字形で対称的に設けられた２つの支持バー（４１）をさらに備えることを特徴とする請求項４に記載の折り畳み式フェースマスク（１００）。
【請求項６】
前記支持バー（４１）の両側のそれぞれには、第１のエンボス模様（５１）が設けられていることを特徴とする請求項５に記載の折り畳み式フェースマスク（１００）。
【請求項７】
前記第１の平面領域（１１１）に対称的に設けられ、前記透視領域（１２）の両側にある２つの第２のエンボス模様（４２）をさらに備えることを特徴とする請求項６に記載の折り畳み式フェースマスク（１００）。
【請求項８】
前記ろ過領域（１１）は、第３の平面領域（１１３）と、第４の平面領域（１１４）と、第５の平面領域（１１５）とを含み、前記透視領域（１２）は、前記第３の平面領域（１１３）に嵌設され、前記第４の平面領域（１１４）の下縁と前記第３の平面領域（１１３）の上縁が接続されているとともに、その接続箇所に第２の接続線（３２）が形成され、前記第５の平面領域（１１５）の上縁と前記第３の平面領域（１１３）の下縁が接続されているとともに、その接続箇所に第３の接続線（３３）が形成され、前記第２の接続線（３２）と前記第３の接続線（３３）は、いずれも前記フェースマスク本体（１０）に対して横方向に設けられていることを特徴とする請求項１に記載の折り畳み式フェースマスク（１００）。
【請求項９】
前記ろ過領域（１１）に設けられた呼吸弁（６０）をさらに備え、前記フェースマスク（１００）が掛けられた場合に、前記呼吸弁（６０）はユーザの口鼻部に対応することを特徴とする請求項１〜８のいずれか１つに記載の折り畳み式フェースマスク（１００）。
【請求項１０】
前記ろ過領域（１１）は、多層構造であることを特徴とする請求項９に記載の折り畳み式フェースマスク（１００）。
【請求項１１】
前記ろ過領域（１１）の内層の縁に設けられた滑り止め構造をさらに備えることを特徴とする請求項１０に記載の折り畳み式フェースマスク（１００）。
【考案の詳細な説明】
【技術分野】
【０００１】
本考案の実施例は、日常の防護用具の技術分野に関し、特に、折り畳み式フェースマスクに関するものである。
【背景技術】
【０００２】
現在、マスクの市場はますます多様化し、鼻部と口部を遮蔽して空気中の微粒子から防護する機能を果たせるだけではなく、クマやシミなどを隠し、日焼け防止やプライバシーの保護などに用いられ、さらに、匂いを除去し殺菌するといった効果を有することもできる様々なマスクでいっぱいになっている。
【０００３】
しかし、上述したマスクはほとんどハーフフェース式で、主に呼吸システムの防護に用いられ、目を保護するための工夫がなく、感染性ウィルスから防護することに役に立たない。従って、さらにアイプロテクターを掛けて防護力を向上させることが必要になる。このようなマスクとアイプロテクターによる防護方式は、かなり面倒であるのみならず、顔の全体に対する防護にも不十分である。また、従来のフルフェースマスクは、防毒マスクを主にし、大型で重く、保管し難い上に、コストが高い。
【考案の概要】
【考案が解決しようとする課題】
【０００４】
本考案の実施例が解決しようとする主な技術的課題は、顔の全体を防護することができるとともに、折り畳んで保管することが可能で、持ち運びに便利な折り畳み式フェースマスクを提供することにある。
【課題を解決するための手段】
【０００５】
上述した技術的課題を解決するために、本考案の実施例は、フェースマスク本体を備え、
前記フェースマスク本体は、透視領域と、ろ過領域とを含み、前記ろ過領域は、少なくとも２つの平面領域を含み、そのうち、隣接する前記平面領域同士が互いに接続されているとともに、その接続箇所に接続線が形成され、前記ろ過領域は、前記接続線に沿って折り畳まれたり、広げられたりすることができ、
前記透視領域は、前記ろ過領域に嵌設されており、前記フェースマスクが掛けられた場合に、前記透視領域は、視線が透過されるようにユーザの目のところに対応する
折り畳み式フェースマスクを提供する。
【０００６】
幾つかの実施例では、前記ろ過領域は、第１の平面領域と第２の平面領域とを含み、前記透視領域は、前記第１の平面領域に嵌設され、前記第１の平面領域の下縁と前記第２の平面領域の上縁が接続されているとともに、その接続箇所に第１の接続線が形成され、前記第１の接続線は前記フェースマスク本体に対して横方向に設けられている。
【０００７】
幾つかの実施例では、前記第１の接続線は、開口した多角形状をしている。
【０００８】
幾つかの実施例では、前記第１の平面領域の上縁は弧状で、前記第２の平面領域の下縁は唇の形状をしている。
【０００９】
幾つかの実施例では、前記第２の平面領域に八字形で対称的に設けられた２つの支持バーをさらに備える。
【００１０】
幾つかの実施例では、前記支持バーの両側のそれぞれには、第１のエンボス模様が設けられている。
【００１１】
幾つかの実施例では、前記第１の平面領域に対称的に設けられ、前記透視領域の両側にある２つの第２のエンボス模様をさらに備える。
【００１２】
幾つかの実施例では、前記ろ過領域は、第３の平面領域と、第４の平面領域と、第５の平面領域とを含み、前記透視領域は、前記第３の平面領域に嵌設され、前記第４の平面領域の下縁と前記第３の平面領域の上縁が接続されているとともに、その接続箇所に第２の接続線が形成され、前記第５の平面領域の上縁と前記第３の平面領域の下縁が接続されているとともに、その接続箇所に第３の接続線が形成され、前記第２の接続線と前記第３の接続線は、いずれも前記フェースマスク本体に対して横方向に設けられている。
【００１３】
幾つかの実施例では、前記ろ過領域に設けられた呼吸弁をさらに備え、前記フェースマスクが掛けられた場合に、前記呼吸弁はユーザの口鼻部に対応する。
【００１４】
幾つかの実施例では、前記ろ過領域は、多層構造である。
【００１５】
幾つかの実施例では、前記ろ過領域の内層の縁に設けられた滑り止め構造をさらに備える。
【００１６】
本考案の実施例の有益な効果は下記の通りである。従来技術とは異なり、本考案の実施例による折り畳み式フェースマスクは、フェースマスク本体を備え、当該フェースマスク本体は、透視領域と、ろ過領域とを含み、前記ろ過領域は、少なくとも２つの平面領域を含み、そのうち、隣接する前記平面領域同士が互いに接続されているとともに、その接続箇所に接続線が形成され、前記ろ過領域は前記接続線に沿って折り畳まれたり、広げられたりすることができ、前記透視領域は、前記ろ過領域に嵌設されており、前記フェースマスクが掛けられた場合に、前記透視領域は、視線が透過されるようにユーザの目のところに対応する。この実施例では、当該フェースマスクは接続線に沿って広げられると、３次元構造になり、顔の全体を被覆し、顔を全体的に防護することができるとともに、当該透視領域により、視線に影響を与えずに、目を効果的に防護することができる。当該フェースマスクは接続線に沿って折り畳まれると、小さい平面に折り畳まれることができ、保管と持ち運びに便利である。
【図面の簡単な説明】
【００１７】
一つ又は複数の実施例は、それに対応する添付図面における図により例示的に説明するが、これらの例示的な説明は、実施例を制限するものではなく、添付図面において同じ参照数字番号を有する要素は同じ要素を示し、特に断らない限り、添付図面における図は、比例制限とはならない。
【００１８】
【図１】本考案の一実施例による折り畳み式フェースマスクの構造の模式図である。
【図２】本考案の一実施例による折り畳み式フェースマスクの３次元構造の模式図である。
【図３】図２に示す折り畳み式フェースマスクの別の観点からの３次元構造の模式図である。
【図４】図２に示す折り畳み式フェースマスクの別の観点からの３次元構造の模式図である。
【図５】図２に示す折り畳み式フェースマスクの折り畳まれた場合及び広げられた場合の構造の模式図である。
【図６】本考案の一実施例による折り畳み式フェースマスクの３次元構造の模式図である。
【図７】図６に示す折り畳み式フェースマスクの別の観点からの３次元構造の模式図である。
【図８】図６に示す折り畳み式フェースマスクの別の観点からの３次元構造の模式図である。
【図９】図６に示す折り畳み式フェースマスクの別の観点からの３次元構造の模式図である。
【図１０】図６に示す折り畳み式フェースマスクの折り畳まれた場合の構造の模式図である。
【考案を実施するための形態】
【００１９】
本考案を容易に理解するために、以下、図面と具体的な実施例に組み合わせて、本考案を更に詳しく説明する。説明しておくべきであるが、要素が他の要素に「固定される」と記載される場合に、それは、直接に他の要素にあってもよく、又は、その間に一つ又は複数の要素を介在してもよい。１つの要素が他の要素に「接続される」と記載される場合、それは、直接に他の要素に接続されてもよく、又は、その間に一つ又は複数の要素を介在してもよい。本明細書に用いられる用語である「垂直」、「水平」、「左」、「右」やそれらと類似する表現は、説明するために過ぎない。
【００２０】
別途に定義されない限り、本明細書に用いられる技術と科学用語の全ては、本考案の技術分野に属する技術者により一般的に理解されている意味と同じである。本明細書において、本考案の明細書に用いられる用語は、具体的な実施例を説明するために過ぎず、本考案を制限するものではない。本明細書に用いられる用語である「及び／又は」は、一つ又は複数の関連する挙げられた項の何れかと全ての組合せを含む。
【００２１】
図１に示すように、折り畳み式フェースマスク１００は、フェースマスク本体１０と、耳掛けバンド２０とを備え、そのうち、フェースマスク本体１０は、顔の全体を遮蔽して防護するものであり、耳掛けバンド２０は、着用者の耳に掛けられ、又は、ボタンで両側の耳掛けバンドを頭に掛けることにより、当該フェースマスク本体１０を着用者の顔に固定するものである。
【００２２】
そのうち、前記フェースマスク本体１０は、ろ過領域１１と、透視領域１２とを備える。前記ろ過領域１１は、多層構造であり、例えば、図１において、ろ過領域１１は、異なるろ過材により作製されている。前記ろ過領域１１は、顔を遮蔽し、空気をろ過する機能を果たすことで、埃やばい菌、ウィルスなどを遮断し、通常の呼吸を邪魔せずに顔の全体を防護する。前記透視領域１２は、前記ろ過領域１１に嵌設されており、前記フェースマスク１００が掛けられた場合に、前記透視領域１２は、視線が透過されるようにユーザの目のところに対応することで、視線に影響を与えないうえに、目を効果的に防護することができる。
【００２３】
さらに、前記ろ過領域１１は、少なくとも２つの平面領域を含み、隣接する前記平面領域同士が互いに接続されているとともに、その接続箇所に接続線が形成され、前記ろ過領域１１は、前記接続線に沿って折り畳まれたり、広げられたりすることができ、前記ろ過領域１１は、前記接続線に沿って広げられた場合に、３次元構造になり、顔の全体を被覆し、顔を全体的に防護することができるが、当該ろ過領域１１は、接続線に沿って折り畳まれた場合に、透視領域１２もろ過領域１１とともに折り畳まれることになり、小さい平面に折り畳まれることが可能になり、保管と持ち運びに便利である。
【００２４】
幾つかの実施例では、図２から図４に示すように、前記ろ過領域１１は、第１の平面領域１１１と第２の平面領域１１２とを含み、前記透視領域１２は、前記第１の平面領域１１１に嵌設され、前記第１の平面領域１１１の下縁と前記第２の平面領域１１２の上縁が接続されているとともに、その接続箇所に第１の接続線３１が形成され、前記第１の接続線３１は前記フェースマスク本体１０に対して横方向に設けられている。そのうち、前記第１の接続線３１は、ろ過領域１１に折り畳み可能な機能を付与することで、当該フェースマスク本体１０の次元を自由に変換することができる。理解可能なことであるが、掛けられた場合に、前記フェースマスク本体１０は、人の顔面に対して縦方向に広げられることができ、第１の平面領域１１１と第２の平面領域１１２により３次元構造が形成され、当該第１の接続線３１は３次元構造の最も高い箇所で、一般的に顔の最高部、例えば、鼻翼に対応するが、その一方、窮屈感を与えないように、口と鼻により呼吸できるスペースを増加することができる。保管が必要な場合には、当該フェースマスク本体１０を前記第１の接続線３１に沿って３次元から平面に折り畳んで保管することができ、フェースマスク本体１０の元の構造に影響を与えず、保管と持ち運びに便利である。
【００２５】
なお、この実施例では、前記第１の平面領域１１１は、人の顔に対して上方にあり、主に額と目のところを遮蔽するためであり、当該透視領域１２は、前記第１の平面領域１１１に嵌設されていることで、視線に影響を与えることにならない。幾つかの実施例では、当該透視領域１２は広い面積をもち、例えば、透視領域１２の面積は第１の平面領域１１１の少なくとも半分を占め、明らかで広い視野を提供することができる。また、当該透視領域１２の材料は可撓性を有し、フェースマスク本体１０によりなされた形状に影響を与えずに、フェースマスク本体１０に合わせて広げることができる。フェースマスク本体１０が広げられると、透視領域１２は、曲面のウィンドーに曲げられることにより、全方向視野を与えるとともに、目でのスペース全体を支え、透視領域１２の全体を深くすることで、目でのスペースの不十分による不快感を回避することができる。
【００２６】
幾つかの実施例では、図５に示すように、前記第１の接続線３１は、開口した多角形状、例えば、隣接する両辺の角度が１２０°のＵ形溝の形状をしている。多角形状の第１の接続線３１は、フェースマスク本体１０の骨格となることで、フェースマスク本体１０を広げることにより形成された３次元空間がより一層３次元化し、窮屈感を与えないように、口と鼻を良く収容することができる。
【００２７】
理解可能なことであるが、幾つかの実施例では、前記第１の接続線３１は、第１の平面領域１１１と第２の平面領域１１２を超音波メルトにより溶接して得られた溶接線であり、フェースマスク本体１０の構造が層間剥離にならないように、第１の平面領域１１１の下縁と第２の平面領域１１２の上縁の各層材料を確実に重合成型することができる。その一方、超音波メルトという製造技術は簡単で、生産性が高く、製造コストが低くて、１回限りの販売と利用が可能であり、リサイクリングによる二次汚染を防ぐことができる。
【００２８】
幾つかの実施例では、図５に示すように、前記第１の平面領域１１１の上縁は弧状であることで、当該第１の平面領域１１１の上縁は額の髪の毛の生え際に密着することができる。前記第２の平面の下縁は唇の形状をしていることで、当該第２の平面領域１１２の下縁は顎に密着することができる。すなわち、フェースマスク本体１０の全体は、顔の周りによく密着することができ、密着しないことによりフェースマスク本体１０を外部と連通し、防護効果に影響を与えることを回避することができる。
【００２９】
幾つかの実施例では、図２から図５に示すように、前記フェースマスク１００は、前記第２の平面領域１１２に八字形で対称的に設けられた２つの支持バー４１をさらに備える。そのうち、２つの支持バー４１は、剛性を有し、例えば、支持バー４１の材料をＰＥ又は金属にしてもよい。当該２つの支持バー４１は、前記フェースマスク本体１０に十分な支持力を与える。また、八字形で対称的に設けられた支持バー４１の一つは、顔の顎のところを支点とし、さらに第１の接続線３１まで延びることで、当該第２の平面領域１１２が強く支持され、全体的に３次元的な呼吸できるスペースが形成され、呼吸できるスペースが最大化される。また、当該支持バー４１は、さらに、ろ過領域１１の硬度の不十分や長時間の呼吸による崩れを防止して回避することができる。さらに、フェースマスク本体１０の両側の材料は、支持バー４１の剛性により、顔の両側と顎の線のところに良く密着し、そして顔の両側の輪郭に沿って、両頬から顎の線まで、上方から下方へ、外から内へ、フェースマスク本体１０の密着性を最適化し、空気漏れのリスクを低減させることができる。
【００３０】
第２の平面領域１１２の広げられた場合の３次元性を向上させるために、図５に示すように、前記支持バー４１の両側のそれぞれに第１のエンボス模様５１が設けられており、当該第１のエンボス模様５１は、フェースマスク本体１０の呼吸できるスペースを形成して補強するために、前記支持バー４１をロックし、支持バー４１を変位しないように所定の位置に固定することができる。その一方、第２の平面領域１１２は、前記第１のエンボス模様５１に沿って良く変形可能であり、それにより、呼吸できるスペースがさらに３次元化し、口の形状に従って変形され、スペースの増加のうえに、快適性の向上が図れる。
【００３１】
幾つかの実施例では、図５に示すように、前記フェースマスク１００は、前記第１の平面領域１１１に対称的に設けられ、前記透視領域１２の両側にある２つの第２のエンボス模様４２をさらに備える。フェースマスク１００を広げて掛けると、前記第２のエンボス模様４２は、額の両側から両頬の側縁までのところに対応し、前記第１の平面領域１１１は、前記第２のエンボス模様４２に沿って曲がって変形することができることで、前記第２のエンボス模様４２により、前記第１の平面領域１１１における両側縁は、上方から下方へ、こめかみ全体を亘って顔の両側に良く密着し、第１の平面領域１１１の膨出による空気漏れを回避することができる。
【００３２】
理解可能なことであるが、前記第１のエンボス模様５１と前記第２のエンボス模様４２は、ある程度の剛性を有するので、前記第１のエンボス模様５１と前記第２のエンボス模様４２により、フェースマスク本体１０の両側縁の材料を有効に平たいにすることができることで、フェースマスク本体１０の材料は、こめかみ、頬の両側、及び顎のところに良く密着し、フェースマスク本体１０と顔との間のギャップの発生を低減させ、気密度を向上させることができる。
【００３３】
この実施例では、当該フェースマスク本体１０は、二つ折りの設計であり、すなわち、前記フェースマスク本体１０は、第１の平面領域１１１と第２の平面領域１１２に分けられ、第１の接続線３１に沿って広げられると、３次元構造になり、顔の全体を被覆し、顔を全体的に防護することができるとともに、当該透視領域１２により、視線に影響を与えずに、目を効果的に防護することができる。当該フェースマスク本体１０は第１の接続線３１に沿って折り畳まれると、小さい平面に折り畳まれることができ、保管と持ち運びに便利である。
【００３４】
幾つかの実施例では、図６に示すように、フェースマスク本体１０は、さらに三つ折りの設計でもよく、例えば、前記ろ過領域１１は、第３の平面領域１１３と、第４の平面領域１１４と、第５の平面領域１１５とを含み、前記透視領域１２は、前記第３の平面領域１１３に嵌設され、前記第４の平面領域１１４の下縁と前記第３の平面領域１１３の上縁が接続されているとともに、その接続箇所に第２の接続線３２が形成され、前記第５の平面領域１１５の上縁と前記第３の平面領域１１３の下縁が接続されているとともに、その接続箇所に第３の接続線３３が形成され、前記第２の接続線３２と前記第３の接続線３３は、いずれも前記フェースマスク本体１０に対して横方向に設けられている。
【００３５】
そのうち、前記第２の接続線３２と第３の接続線３３は、ろ過領域１１に折り畳み可能な機能を付与することで、当該フェースマスク本体１０の次元を自由に変換することができる。理解可能なことであるが、掛けられると、前記フェースマスク本体１０は、人の顔面に対して縦方向に広げられることができ、第３の平面領域１１３と、第４の平面領域１１４と、第５の平面領域１１５とにより３次元構造が形成され、そのうち、当該第３の平面領域１１３は顔の前方にあり、第４の平面領域１１４の上縁は額に密着され、当該第５の平面領域１１５の下縁は顎に密着されることにより、第４の平面領域１１４と第５の平面領域１１５は、共に前記第３の平面領域１１３を支え、３次元構造を構成し、窮屈感を与えないように、口と鼻により呼吸できるスペースを増加させることができる。保管が必要な場合は、当該フェースマスク本体１０を前記第２の接続線３２と第３の接続線３３に沿って３次元から平面に折り畳んで保管することができ、フェースマスク本体１０の元の構造に影響を与えず、保管と持ち運びに便利である。
【００３６】
この実施例では、前記第３の平面領域１１３は、人の顔に対して前方にあり、目と口のところを遮蔽するためであり、当該透視領域１２は、前記第３の平面領域１１３に嵌設されるとともに、目のところに対応し、すなわち、第３の平面領域１１３の上方にあることで、視線に影響を与えることにならない。幾つかの実施例では、当該透視領域１２は、広い面積をもち、例えば、当該透視領域１２の面積は第３の平面領域１１３の少なくとも半分を占め、明らかで広い視野を提供することができる。また、当該透視領域１２の材料は可撓性を有し、フェースマスク本体１０によりなされた形状に影響を与えずに、フェースマスク本体１０に合わせて広げることができる。フェースマスク本体１０が広げられると、透視領域１２は、曲面のウィンドーに曲げられることにより、全方向視野を与えるとともに、目でのスペース全体を支え、透視領域１２の全体を深くすることで、目でのスペースの不十分による不快感を回避することができる。
【００３７】
幾つかの実施例では、図７から図１０に示すように、前記第３の平面領域１１３は楕円形状をしており、前記第４の平面領域１１４と第５の平面領域１１５は、半楕円形状をしている。また、第４の平面領域１１４と第３の平面領域１１３の上半部は、ほぼ同じ大きさで、前記第４の平面領域１１４の上縁は第３の平面領域１１３の上縁に位置合わせてもよく、前記第５の平面領域１１５は前記第３の平面領域１１３の下半部よりも、ちいさく、前記第５の平面領域１１５の下縁は前記第３の平面領域１１３の下縁に位置合わせてもよい。幾つかの実施例では、前記第４の平面領域１１４の上縁と第３の平面領域１１３の上縁は、超音波メルトにより接着して重合することにより、半楕円形状の第２の接続線３２を形成することができ、前記第５の平面領域１１５の下縁と前記第３の平面領域１１３の下縁は、超音波メルトにより接着して重合することにより、半楕円形状の第３の接続線３３を形成することができ、前記第２の接続線３２と第３の接続線３３を合わせて真楕円形を形成する。折り畳まれると、前記第４の平面領域１１４と前記第５の平面領域１１５は、いずれも前記第３の平面領域１１３の裏面にあるので、前記第４の平面領域１１４の下縁と前記第５の平面領域１１５の上縁により開口が形成される。掛けられる場合に、前記フェースマスク本体１０は、前記開口から縦方向に広げられることができ、第２の連続線３２と第３の接続線３３により、前記第３の平面領域１１３は、人の顔の３次元的な輪郭に合わせるように、左右に曲がって変形され、戯曲における顔の化粧のような３次元構造を形成することができる。
【００３８】
この実施例では、前記第４の平面領域１１４と前記第５の平面領域１１５は、前記第３の平面領域１１３の上下側と両側での被覆面積が足りない所を補い、顔の全体を完全に被覆することに寄与するとともに、広げられて変形された後の開口の周縁は、顔の輪郭とほぼ同じで、顔の周りに密着することができることで、フェースマスク本体１０は、髪の毛の生え際から顎のところまで、上方から下方へ、全体的に顔を包むことができ、目、鼻や口などの感染・刺激されやすい主な部位と外部環境との直接的な接触が回避され、外気の全てが完全にろ過され、あらゆる潜在的な有害物の伝播が遮断され、ユーザの安全が確保される。さらに、前記フェースマスク本体１０は、第２の接続線３２と第３の接続線３３により、容易に３次元から平面に切り替えることができ、フェースマスク本体１０の収納体積が低減され、保管と持ち運びに便利であるとともに、フェースマスク本体１０の元の構造と機能に影響がない。
【００３９】
この実施例では、当該フェースマスク本体１０は、三つ折りの設計で、すなわち、当該フェースマスク本体１０は、第３の平面領域１１３と、第４の平面領域１１４と、第５の平面領域１１５とに分けられ、第２の接続線３２と第３の接続線３３に沿って広げられると、３次元構造になり、顔の全体を被覆し、顔を全体的に防護することができるとともに、当該透視領域１２により、視線に影響を与えずに、目を効果的に防護することができる。当該フェースマスク本体１０は、第２の接続線３２と第３の接続線３３に沿って折り畳まれると、小さい平面に折り畳まれることができ、保管と持ち運びに便利である。
【００４０】
幾つかの実施例では、図４と図６に示すように、フェースマスク１００は、前記ろ過領域１１に設けられた呼吸弁６０をさらに備え、前記フェースマスク１００が掛けられた場合に、前記呼吸弁６０はユーザの口鼻部に対応し、フェースマスク１００内の通気性を向上させることで、呼吸を楽にすることができる一方、曇ることによる視線への影響を防止することができる。
【００４１】
幾つかの実施例では、多層構造である前記ろ過領域１１は疎水性表層と、複数層の濾過層と、内層とを備える。そのうち、前記疎水性表層は、疎水性不織布又は撥水性織物であってよく、飛沫、花粉や埃などの汚れを効果的に離隔することができる。前記ろ過層は、疎水性のろ過材から作製され、微細な浮遊粒子、ばい菌やウィルス、さらに、匂いを効果的に遮断することができる。前記内層は、疎水性内層又は親水性内層であってもよく、天然又は人造の繊維布により作製される。疎水性の内層は、フェースマスク１００の流体への抵抗を増加させることができ、血液の飛ばしによる血液汚染を有効に防止し、患者と医療職員との間の交差感染のリスクを低減させることができる。親水性の内層は、フェースマスク１００内の湿気の集まりを低減させ、フェースマスク１００の快適性を向上させることができる。理解可能なことであるが、前記内層の材料は、具体的に、実際のニーズに応じて設定してもよい。
【００４２】
幾つかの実施例では、前記ろ過領域１１は、ニーズに応じて、さらにろ過層の数を追加し、又は、ろ過効果、通気性や快適性を向上させるために、他の材料層を追加してもよく、これにより、フェースマスク１００の応用がさらに多様化される。例えば、ろ過効果を向上させるために濾過層の厚さや層数を増やし、又は、有機物質を吸着するために活性炭層を追加してもよい。
【００４３】
幾つかの実施例では、前記ろ過領域１１の親水性内層の縁に設けられた滑り止め構造（図示せず）をさらに備える。掛けられた場合、当該滑り止め構造は、人の顔の肌にぴったりと密着され、これにより、フェースマスク１００の顔との密着性を向上させることができ、フェースマスク１００の気密度の最適化に寄与する。幾つかの実施例では、前記滑り止め構造は、ソフトシリコーン又はヒドロゲルであってもよい。前記ソフトシリコーン又はヒドロゲルは、粘着性を有し、フェースマスク本体１０の縁を肌に良く密着することができ、フェースマスク１００の位置を変位しないように固定することができ、フェースマスク１００の滑り落としを有効に防止し、フェースマスク１００の縁と顔との間のギャップの発生による漏れ問題を抑止することができる。
【００４４】
理解可能なことであるが、前記フェースマスク本体１０は、耳掛けバンド２０で着用者の顔に固定されるほか、幾つかの実施例では、前記フェースマスク本体１０は、ヘッドバンドで着用者の顔に固定されてもよく、すなわち、フェースマスク１００を頭に固定するために、前記フェースマスク本体１０の両側縁のそれぞれにヘッドバンドが設けられてもよい。フェースマスク１００の使用上の柔軟性がさらに向上するように、前記ヘッドバンドは、調整ボタンを備えてもよく、これにより、ユーザがサイズを容易に調整することになり、フェースマスク１００は様々な頭囲に対応することが可能になる。
【００４５】
上述したように、本考案におけるフェースマスク１００は、接続線に沿って広げられると、３次元構造になり、顔の全体を被覆し、顔を全体的に防護することができるとともに、当該透視領域１２により、視線に影響を与えずに、目を効果的に防護することができる。当該フェースマスク１００は接続線に沿って折り畳まれると、小さい平面に折り畳まれることができ、保管と持ち運びに便利である。
【００４６】
説明しておくべきであるが、本考案の明細書及びその添付図面は、本考案の好ましい実施例を示したが、本考案は、多くの異なる態様で実現することができ、本明細書に記載された実施例に制限されず、これらの実施例は、本考案の内容を特別に制限するものではなく、これらの実施例は、本考案の開示をさらに徹底的かつ全面的に理解するために提供される。また、さらに上述した各技術的特徴を組み合せることで形成された、以上挙げられていない種々の実施例は、何れも本考案の明細書に記載された範囲にあるものとし、さらに、この分野における一般的な技術者にとっては、上述した説明によって改良や置換を行うことができ、これらの改良と置換は、全て本考案に添付された実用新案登録請求の範囲に属すべきである。
【図１】
0003232483.tif 000003
【図２】
0003232483.tif 000004
【図３】
0003232483.tif 000005
【図４】
0003232483.tif 000006
【図５】
0003232483.tif 000007
【図６】
0003232483.tif 000008
【図７】
0003232483.tif 000009
【図８】
0003232483.tif 000010
【図９】
0003232483.tif 000011
【図１０】
0003232483.tif 000012